(57)【要約】【課題】大容量のメモリを搭載しなくとも電話番号データに対応する氏名を表示可能な通信装置及びシステムを提供する。【解決手段】着信があると（Ｓ１ステップ）、制御部は、パーソナルコンピュータへ相手側電話番号に対応する氏名の問い合わせる処理を行い（Ｓ３ステップ）、パーソナルコンピュータから返答があれば（Ｓ４ステップ）、パーソナルコンピュータから送られてきた前記相手側電話番号に対応する氏名を表示部に表示させる（Ｓ８ステップ）。【選択図】  図４
2004260733.tif 000002
【特許請求の範囲】
【請求項１】
一方の装置から他方の装置に情報を問い合わせる通信システムにおいて、
前記一方の装置は、着呼時に発呼側の電話番号又はアドレスを検出すると、前記他方の装置へ検出した電話番号又はアドレスに対応する情報の問い合わせを行い、前記問い合わせを受けた前記他方の装置は、前記電話番号又はアドレスに対応する情報を前記一方の装置へ送信することを特徴とする通信システム。
【請求項２】
一方の装置から他方の装置に情報を問い合わせる通信システムにおいて、
前記一方の装置は、着呼時に発呼側の電話番号又はアドレスを検出すると、前記他方の装置へ検出した電話番号又はアドレスに対応する情報の問い合わせを行い、前記問い合わせを受けた前記他方の装置は、前記電話番号又はアドレスに対応する情報を前記一方の装置へ送信し、前記情報を受信した前記一方の装置は、受信した情報を表示させることを特徴とする通信システム。
【請求項３】
一方の装置から他方の装置に情報を問い合わせる通信システムにおける通信装置であり、
問合せ先である電話番号又はアドレスを格納する格納手段と、着信時に相手側から送信されてくる電話番号又はアドレスを検出する検出手段と、通信手段と、
着信時に前記検出手段が相手側から送信される前記電話番号又はアドレスを検出すると、自動的に前記格納手段に格納されている問合せ先へ、相手側から送信された前記電話番号先又はアドレスに対応する情報を問い合わせるように前記通信手段を制御する制御手段と、を有することを特徴とする通信装置。
【請求項４】
一方の装置から他方の装置に情報を問い合わせる通信システムにおける通信装置であり、
問合せ先である電話番号又はアドレスを格納する格納手段と、着信時に相手側から送信されてくる電話番号又はアドレスを検出する検出手段と、相手側との通信を行う通信手段と、表示手段と、
着信時に前記検出手段が相手側から送信される前記電話番号又はアドレスを検出すると、前記通信手段が、自動的に前記格納手段に格納されている問合せ先へ、送信されてきた前記電話番号先又はアドレスに対応する情報を問い合わせ、該問い合わせに対して前記通信手段が前記問い合わせ先から前記情報を受信すると、受信した前記情報を前記表示手段に表示させるように制御する制御手段と、を有することを特徴とする通信装置。
【請求項５】
一方の装置から他方の装置に情報を問い合わせる通信システムにおける通信装置であり、
相手側との通信を行う通信手段と、電話番号又はアドレスに対応する情報を格納する格納手段と、前記通信手段が前記情報の問い合わせを示す信号を受信すると、問い合わせのあった電話番号又はアドレスに対応する情報を前記格納手段から読み込み、前記通信手段により送信するよう制御する制御手段と、を有することを特徴とする通信装置。
【発明の詳細な説明】
【０００１】
【発明の属する技術分野】
本発明は、特にＶｏＩＰ電話等の通信装置及び通信システムに関する。
【０００２】
【従来の技術】
近年では、音声データをパケットデータに変換して、ＩＰ（ＩｎｔｅｒｎｅｔＰｒｏｔｏｃｏｌ）網上でパケットデータを送信することにより、ＩＰ網を用いた通話を可能としたＶｏＩＰ（Ｖｏｉｃｅ  Ｏｖｅｒ  Ｉｎｔｅｒｎｅｔ  Ｐｒｏｔｏｃｏｌ）電話が製品化されている。
【０００３】
前記ＶｏＩＰ電話の呼制御プロトコルとしては、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｅｃｔｏｒ）標準のＨ．３２３や、ＩＥＴＦ（Ｉｎｔｅｒｎｅｔ  Ｅｎｇｉｎｅｅｒｉｎｇ  ＴａＳｋ  Ｆｏｒｃｅ）標準化のＳＩＰ（ＳｅＳＳｉｏｎ  Ｉｎｉｔｉａｔｉｏｎ  Ｐｒｏｔｏｃｏｌ）等が挙げられる。
【０００４】
前記Ｈ．３２３では、データはバイナリ形式であり、前記ＳＩＰではデータはテキスト形式である。又、データの送信時には、Ｈ．３２３では、データを符号化してビット列にしてからＩＰパケットで送信するのに対し、ＳＩＰではテキストデータのままＩＰパケットでデータを送信することが可能である。
【０００５】
このようなＶｏＩＰ電話に関する提案も数多くなされている。例えば、パーソナルコンピュータの表示画面上で電話番号が選択されると、パーソナルコンピュータからＶｏＩＰ電話へ選択された電話番号が転送され、ＶｏＩＰ電話側で転送された電話番号先へ発呼を行う技術が提案されている（例えば、文献１参照）。
【０００６】
【特許文献１】
特開平２００１−１２７９０２号公報（第５頁〜第６頁及び図１）。
【０００７】
【発明が解決しようとする課題】
このようなＶｏＩＰ電話は、一般的に電話帳機能、即ち、電話番号と、該電話番号に対応する氏名等を対で複数格納する機能を有しているが、ユーザがＶｏＩＰ電話を用いて電話帳データを登録する際には、通常、テンキーの入力操作により行われる。しかし、テンキーを用いて相手側の氏名を入力すると、操作が複雑になり、テンキーを用いた氏名入力に慣れていないユーザにとって、非常に手間がかかる。
【０００８】
更に、氏名の登録がひらがなで行われるのではなく漢字で行う場合には、通常、
ひらがなで入力を行った後に漢字変換を行う必要がある為、更に入力操作が複雑となる。
【０００９】
このような理由から、ＶｏＩＰ電話を用いて電話帳データを入力する手間をかけずに、電話帳機能を活用できることが好ましい。
【００１０】
【課題を解決するための手段】
本発明はこのような課題を解決する為のものであり、請求項１記載の通信システムは、一方の装置から他方の装置に情報を問い合わせる通信システムにおいて、
前記一方の装置は、着呼時に発呼側の電話番号又はアドレスを検出すると、前記他方の装置へ検出した電話番号又はアドレスに対応する情報の問い合わせを行い、前記問い合わせを受けた前記他方の装置は、前記電話番号又はアドレスに対応する情報を前記一方の装置へ送信することを特徴とする。
【００１１】
請求項２記載の通信システムは、一方の装置から他方の装置に情報を問い合わせる通信システムにおいて、前記一方の装置は、着呼時に発呼側の電話番号又はアドレスを検出すると、前記他方の装置へ検出した電話番号又はアドレスに対応する情報の問い合わせを行い、前記問い合わせを受けた前記他方の装置は、前記電話番号又はアドレスに対応する情報を前記一方の装置へ送信し、前記情報を受信した前記一方の装置は、受信した情報を表示させることを特徴とする。
【００１２】
請求項３記載の通信装置は、一方の装置から他方の装置に情報を問い合わせる通信システムにおける通信装置であり、問合せ先である電話番号又はアドレスを格納する格納手段と、着信時に相手側から送信されてくる電話番号又はアドレスを検出する検出手段と、通信手段と、着信時に前記検出手段が相手側から送信される前記電話番号又はアドレスを検出すると、自動的に前記格納手段に格納されている問合せ先へ、相手側から送信された前記電話番号先又はアドレスに対応する情報を問い合わせるように前記通信手段を制御する制御手段と、を有することを特徴とする。
【００１３】
請求項４記載の通信装置は、一方の装置から他方の装置に情報を問い合わせる通信システムにおける通信装置であり、問合せ先である電話番号又はアドレスを格納する格納手段と、着信時に相手側から送信されてくる電話番号又はアドレスを検出する検出手段と、相手側との通信を行う通信手段と、表示手段と、着信時に前記検出手段が相手側から送信される前記電話番号又はアドレスを検出すると、前記通信手段が、自動的に前記格納手段に格納されている問合せ先へ、送信されてきた前記電話番号先又はアドレスに対応する情報を問い合わせ、該問い合わせに対して前記通信手段が前記問い合わせ先から前記情報を受信すると、受信した前記情報を前記表示手段に表示させるように制御する制御手段と、を有することを特徴とする。
【００１４】
請求項５記載の通信装置は、一方の装置から他方の装置に情報を問い合わせる通信システムにおける通信装置であり、相手側との通信を行う通信手段と、電話番号又はアドレスに対応する情報を格納する格納手段と、前記通信手段が前記情報の問い合わせを示す信号を受信すると、問い合わせのあった電話番号又はアドレスに対応する情報を前記格納手段から読み込み、前記通信手段により送信するよう制御する制御手段と、を有することを特徴とする。
【００１５】
【発明の実施の形態】
本発明を適用してなる実施例装置では、ＶｏＩＰ電話に対して着信があると、前記ＶｏＩＰ電話は、発呼側電話番号に対応する情報（例えば、氏名）の問い合わせをパーソナルコンピュータに対して行い、前記パーソナルコンピュータから電話番号に対応する情報を受信すると、受信した情報を表示するものである。
【００１６】
図１は、本実施例装置を使用する際のシステム図である。
【００１７】
図１において、ゲートウエイ１００は、外部のＩＰ（Ｉｎｔｅｒｎｅｔ  Ｐｒｏｔｏｃｏｌ）網１１０と社内で構築されているＬＡＮ（Ｌｏｃａｌ  ＡｒｅａＮｅｔｗｏｒｋ）１２０に接続されており、例えば、外部からＬＡＮ１２０へのアクセス或いはＬＡＮ１２０から外部へのアクセスを規制する為のファイアーウオールの機能を有している。
【００１８】
前記ＬＡＮ１２０には、企業データやホームページデータ等が格納されたサーバ１３０が接続されており、更に、前記ＬＡＮ１２０には、多数のＶｏＩＰ電話１４０、１５０、１６０やパーソナルコンピュータ１７０、１８０、１９０が接続されている。
【００１９】
尚、本実施例では、例えばＶｏＩＰ電話１４０とパーソナルコンピュータ１７０を一人のユーザが使用しており、ＶｏＩＰ電話１４０の電話帳データがパーソナルコンピュータ１７０に格納されている。
【００２０】
図２は、本実施例装置であるＶｏＩＰ電話（例えば、ＶｏＩＰ電話１４０）のブロック図である。
【００２１】
図２において、制御部１は、以下に示す各回路の制御を司る。
【００２２】
ＤＳＰ（Ｄｉｇｉｔａｌ  Ｓｉｇｎａｌ  Ｐｒｏｃｅｓｓｏｒ）２は、データの圧縮、伸長、パケット化、パケットデータの分解等を行う。
【００２３】
ＩＰ網Ｉ／Ｆ部３では、データフレームの識別や転送等を行い、例えば、データリンクに接続されているノードを識別するためのＭＡＣアドレスの識別や。発呼側電話番号の検出等を行う。
【００２４】
第１格納部４は、例えばＲＡＭ（Ｒａｎｄｕｍ  ＡｃｃｅＳＳ  Ｍｅｍｏｒｙ）からなり、ワークエリアとして使用される。
【００２５】
第２格納部５は、例えばフラッシュメモリからなり、相手側の電話番号データ（例えば、０５０−１２３−４５６７８＠ＡＢＣＤ．ｃｏ．ｊｐ；ｕＳｅｒ＝ｐｈｏｎｅ）や、ＩＰアドレス、ＭＡＣアドレス等が格納される。
【００２６】
尚、着呼時には、前記第２格納部５に発呼側の電話番号データが一時的に格納される。
【００２７】
外部Ｉ／Ｆ６は、例えば、ＥＩＡ（Ｅｌｅｃｔｒｏｎｉｃｓ  Ｉｎｄｕｓｔｒｙ  Ａｓｓｏｃｉａｔｉｏｎ）が策定したシリアル通信の標準規格であるＲＳ−２３２Ｃコネクタからなり、外部のパーソナルコンピュータとＶｏＩＰ電話とを接続する際に使用される。
【００２８】
表示部７は、例えば液晶表示装置からなり、電話番号データや文字データ、画像データ等を表示する。
【００２９】
入力部８は、テンキー、ワンタッチダイヤルキー、通話内容を録音する為の録音キー等からなる。
【００３０】
スピーカ９は呼出音を出力し、マイク１０は、ユーザが発する音声信号を入力する。
【００３１】
ハンドセット１１は、ＬＡＮ１２０を介して接続された相手側と会話を行う際に使用する為のハンドセットである。
【００３２】
ＡＤＣ（Ａｎａｌｏｇ  Ｄｉｇｉｔａｌ  Ｃｏｎｖｅｒｔｅｒ）１２は、マイク１０或いはハンドセット１１から入力した音声信号（アナログ信号）をデジタル信号に変換して前記ＤＳＰ２へ出力し、又、前記ＤＳＰ２からのデジタル信号をアナログ信号に変換して前記スピーカ９又は前記ハンドセット１１へ出力する。
【００３３】
フック検出部１３は、ハンドセット１１のフック状態を検出する。
【００３４】
図３は、本実施例装置であるパーソナルコンピュータ（例えば、パーソナルコンピュータ１７０）のブロック図である。
【００３５】
尚、図３では、本実施例と直接関係のある部分のみ表しており、ＣＤ−ＲＯＭドライブ、ハードディスク等、本実施例と直接関係のない部分は説明を省略する。
【００３６】
図３において、制御部２０は、例えば半導体マイクロプロセッサからなり、以下に示す各回路の制御を司る。
【００３７】
格納部２１は、例えばＳＲＡＭ（Ｓｔａｔｉｃ  Ｒａｎｄｏｍ  ＡｃｃｅＳＳＭｅｍｏｒｙ）やＨＤＤ（Ｈａｒｄ  Ｄｉｓｋ  Ｄｒｉｖｅ）等からなり、電話番号と、該電話番号に対応する氏名とを対で複数格納している。
【００３８】
入力部２２は、例えばＪＩＳ（Ｊａｐａｎ  Ｉｎｄｕｓｔｒｉａｌ  Ｓｔａｎｄａｒｄ）キーボードや、マウス等からなる。
【００３９】
表示部２３は、例えば液晶表示装置からなり、電話番号や氏名等の文字データの他に静止画や動画等の画像データ等を表示可能である。
【００４０】
Ｉ／Ｏポート２４は、例えば、ＥＩＡ（Ｅｌｅｃｔｒｏｎｉｃｓ  Ｉｎｄｕｓｔｒｙ  Ａｓｓｏｃｉａｔｉｏｎ）が策定したシリアル通信の標準規格であるＲＳ−２３２Ｃコネクタからなり、パーソナルコンピュータとＶｏＩＰ電話とを接続する際に使用される。
【００４１】
通信部２５は、ＬＡＮ１２０と接続されており、ＴＣＰ／ＩＰプロトコルに基づいたデータの送受信や、パケットデータの分解、再構築、データの圧縮、符号化等を行う。
【００４２】
次に、本実施例装置の動作について以下に説明する。
【００４３】
図４は、ＶｏＩＰ電話（例えば、ＶｏＩＰ電話１４０）の動作を示すフロー図である。
【００４４】
図４のＳ１ステップにおいて、制御部１はＩＰ網Ｉ／Ｆ部３がＬＡＮ１２０から着信を検出したと判定すると、Ｓ２ステップへ処理を進める。尚、前記Ｓ１ステップにおいて、制御部１は、ＩＰ網／ＩＦ部３が電話番号データを検出するよう制御し、受信した電話番号データを第２格納部５に一時的に格納する。
【００４５】
Ｓ２ステップにおいて、制御部１は、スピーカ９から着信音を出力させ、Ｓ３ステップへ処理を進める。
【００４６】
Ｓ３ステップでは、制御部１は、ＩＰ網Ｉ／Ｆ部３を制御することにより、受信した電話番号（第２格納部５に一時的に格納された電話番号）に対応する氏名データをパーソナルコンピュータ１７０へ問い合わせる。具体的には、制御部１は、前記ＤＳＰ２とＩＰ網Ｉ／Ｆ部３を制御することにより、前記パーソナルコンピュータ１７０のアドレスへアクセスすると共に、前記電話番号のテキストデータと氏名の検索を示すデータを前記パーソナルコンピュータ１７０へ送信する。
【００４７】
Ｓ４ステップでは、制御部１は、前記ＩＰ網Ｉ／Ｆ部３から、前記パーソナルコンピュータ１７０から前記電話番号に対応するデータを受信したことを示す信号を検出するとＳ８ステップへ処理を進め、そうでなければ、Ｓ５ステップへ処理を進める。
【００４８】
Ｓ５ステップでは、制御部１は、着信時に受信した電話番号を第２格納部５から読み込み、表示部７に表示させ、Ｓ６ステップへ処理を進める。
【００４９】
Ｓ６ステップでは、制御部１は、フック検出部１３からハンドセット１１のオフフックを示す信号を検出するとＳ７ステップへ処理を進め、そうでなければＳ４ステップへ処理を戻す。
【００５０】
尚、制御部１は、Ｓ４〜Ｓ６ステップを処理する間は、所定時間間隔の着信音の鳴動を継続させる。
【００５１】
Ｓ７ステップでは、制御部１は、通話処理を行う。具体的には、制御部１の制御に基づいて、ハンドセット１１から入力された音声信号をＡＤＣ１２にてデジタル信号に変換させ、ＤＳＰ２にて前記ＡＤＣ１２からのデジタル音声信号を圧縮、パケット化し、前記ＩＰ網Ｉ／Ｆ部３にてＴＣＰ／ＩＰプロトコルに基づいてパケット化された音声信号をＬＡＮ１２０へ出力させ、又、前記ＬＡＮ１２０から受信したパケットデータを前記ＤＳＰ２にて再構築、伸長させ、前記ＤＳＰ２にて伸長されたデジタル音声信号を前記ＡＤＣ１２にてアナログ信号に変換させ、ハンドセット１１のスピーカから出力させる。
【００５２】
このような通話処理が終了した後に、制御部１は、Ｓ１４ステップへ処理を進める。
【００５３】
Ｓ８ステップでは、制御部１は、ＬＡＮ１２０から受信した氏名データを表示部７に表示させる処理を行う。具体的には、制御部１は、ＤＳＰ２に、パーソナルコンピュータ１７０から受信した氏名データを含んだパケットデータを再構築させると共に伸長させ、続いて制御部１が、前記ＤＳＰ２から伸長された氏名データを取り込み、表示部７に表示させる。
【００５４】
Ｓ９ステップでは、制御部１は、フック検出部１３からハンドセット１１がオフフックであることを示す信号を検出するとＳ１０ステップへ処理を進め、そうでなければＳ１１ステップへ処理を進める。
【００５５】
Ｓ１０ステップでは、制御部１は、前記Ｓ７ステップと同様に通話処理を行い、通話終了後Ｓ１４ステップへ処理を進める。
【００５６】
Ｓ１１ステップでは、制御部１は、ＩＰ網Ｉ／Ｆ部３からの着信があることを示す信号の検出が継続していると判定するとＳ１２ステップへ処理を戻し、そうでなければＳ１３ステップへ処理を進める。
【００５７】
Ｓ１２ステップでは、制御部１は、スピーカ９から着信音を出力させ、Ｓ９ステップへ処理を戻す。
【００５８】
Ｓ１３ステップでは、制御部１１０は、表示部７を制御することにより氏名データの表示部７への表示を停止させると共に、スピーカ９からの着信音の出力を停止させ、Ｓ１４ステップへ処理を進める。
【００５９】
Ｓ１４ステップでは、制御部１１０は、ＩＰ網Ｉ／Ｆ部３を制御することにより回線を切断させ、処理を終了する。
【００６０】
次にパーソナルコンピュータ１７０の動作を説明する。
【００６１】
図５は、パーソナルコンピュータ１７０の動作を示すフロー図である。
【００６２】
Ｓ２０ステップでは、制御部２０は、入力部２２から電話帳登録操作があると判定すると、Ｓ２１ステップへ処理を進める。
【００６３】
Ｓ２１ステップでは、制御部２０は、前記入力部２２から入力される電話番号と氏名のデータを対で格納部２１に格納し、Ｓ２２ステップへ処理を進める。
【００６４】
尚、このとき、電話番号や氏名の入力はユーザが例えばＪＩＳキーボードを用いることにより行われる。又、氏名等の入力は他のパーソナルコンピュータやＨＤＤからデータを入力しても良い。
【００６５】
Ｓ２２ステップでは、制御部２０は、電話番号に対応する情報（例えば、氏名）の問い合わせがあることを示す信号を、通信部２５から検出するとＳ２３ステップへ処理を進め、そうでなければＳ２０ステップへ処理を戻す。
【００６６】
尚、前記Ｓ２２ステップにおいて、制御部２０は、問い合わせを行った装置のアドレスを検出するように前記通信部２５を制御すると共に、前記アドレスを格納部２１に一時的に或いは永久的に格納する。
【００６７】
Ｓ２３ステップでは、制御部２０は、通信部２５が問い合わせを行った端末（例えば、ＶｏＩＰ電話１４０）から受信した電話番号データを取り込み、格納部２１に取り込んだ電話番号データと同一の電話番号データが格納されていると判定するとＳ２４ステップへ処理を進め、そうでなければ、Ｓ２５ステップへ処理を進める。
【００６８】
Ｓ２４ステップでは、制御部２０は、前記Ｓ２３ステップで一致すると判定した電話番号に対応する氏名データを格納部２１から読み出し、続いて通信部２５を制御することにより、前記Ｓ２２ステップで前記格納部２１に一時的に或いは永久的に格納した相手側（ここでは、ＶｏＩＰ電話１４０）のアドレスに対して読み出した氏名データを送信させる。
【００６９】
Ｓ２５ステップでは、制御部２０は、氏名データがないことを示すテキストデータ（例えば、「データなし」）をＶｏＩＰ電話１４０へ送信させ、処理を終了する。
【００７０】
以上説明したように、本実施例では、ＶｏＩＰ電話１４０に着信があると、ＶｏＩＰ電話１４０側は、発呼側の電話番号データを取得し、取得した電話番号データに対応する氏名データの問い合わせを予め定められた相手先（例えば、パーソナルコンピュータ１７０）へ行う。問い合わせを受けたパーソナルコンピュータ１７０側では、受信した電話番号に対応する氏名データを前記ＶｏＩＰ電話１４０へ送信し、前記ＶｏＩＰ電話１４０は、前記パーソナルコンピュータ１７０から氏名データを受信すると、受信した氏名データを表示部７に表示させる。
【００７１】
この為、ＶｏＩＰ電話１４０は、大容量の電話帳メモリを持たなくとも氏名データを表示させることが可能であり、又、ＶｏＩＰ電話１４０に表示される氏名データはパーソナルコンピュータ１７０に格納されている氏名データである為、ＶｏＩＰ電話１４０のユーザがテンキーを用いて複雑な文字入力操作を行う必要がない。
【００７２】
更に、パーソナルコンピュータ１７０に氏名データを格納する為、ＪＩＳキーボードのような入力装置により容易に氏名データを入力することが可能である。
【００７３】
尚、本実施例では、ＶｏＩＰ電話１４０からパーソナルコンピュータ１７０へ電話帳データの問い合わせを行う構成としたが、例えば、社内の電話帳データを格納した社内サーバ１３０や、ＩＰ網１１０と接続された外部のサーバ（図示せず）へ電話帳データの問い合わせを行う構成としてもよい。
【００７４】
又、本実施例では、ＶｏＩＰ電話１４０からＬＡＮ１２０を介してパーソナルコンピュータ１７０へ電話帳データを問い合わせる構成としたが、ＶｏＩＰ電話１４０とパーソナルコンピュータ１７０を例えば、ＲＳ−２３２Ｃケーブルで接続し、ＶｏＩＰ電話１４０からパーソナルコンピュータ１７０へ直接電話帳データを問い合わせるようにしても良い。
【００７５】
このような構成とすることにより、通信料金をかけずにパーソナルコンピュータから情報を取り寄せることが可能であり、又、ネットワークへの負担をかけなくても良い。
【００７６】
更に、ＶｏＩＰ電話１４０が、前記電話帳データに対応する氏名データを受信すると、データを電話帳メモリに格納する構成としても良く、データを格納するか否かをユーザが選択可能としても良い。
【００７７】
このような構成とすることにより、例えばユーザが所有しない他のデータベースから電話番号等の情報を受信し、自分の電話帳データとして格納することができる。即ち、容易にデータの収集及び作成が可能となる。
【００７８】
又、前記データは氏名データに限らず、ニックネーム、住所、年齢、血液型、生年月日等の個人データでも良い。
【００７９】
このような構成とすることにより、より相手先がだれであるかを認識することが可能である。例えば、同一名の知人が存在する場合には、着信時にニックネームや住所を表示させることによりだれからの着信であるかをより認識し易くすることが可能である。
【００８０】
本実施例では、電話番号データに対応する氏名データをパーソナルコンピュータ１７０に問い合わせる構成としたが、相手側のアドレス（例えば、メールアドレスやＩＰアドレス等）に対応する氏名データを問い合わせる構成としても良い。
【００８１】
尚、本実施例では、着信中に氏名等の情報を表示する構成としたが、着信中のハンドセットのオフフック後に氏名等の情報を表示する構成としても良い。
【００８２】
【発明の効果】
本発明は、大容量のメモリを搭載しなくとも電話番号データに対応する氏名を表示可能とすると共に、氏名データを登録する為に複雑な操作を行わずとも、着信時にＶｏＩＰ電話の表示部に氏名データを表示させることが可能である。
【図面の簡単な説明】
【図１】本発明を適用してなる実施例装置のシステム図である。
【図２】ＶｏＩＰ電話のブロック図である。
【図３】パーソナルコンピュータのブロック図である。
【図４】ＶｏＩＰ電話の動作を示すフロー図である。
【図５】パーソナルコンピュータの動作を示すフロー図である。
【符号の説明】
１  制御部
２  ＤＳＰ
３  ＩＰ網Ｉ／Ｆ部
７  表示部
１２  ＡＤＣ
１１０  ＩＰ網
１２０  ＬＡＮ
１４０  ＶｏＩＰ電話
１７０  パーソナルコンピュータ
【図１】
2004260733.tif 000003
【図２】
2004260733.tif 000004
【図３】
2004260733.tif 000005
【図４】
2004260733.tif 000006
【図５】
2004260733.tif 000007